(57)【特許請求の範囲】
【請求項１】
上枠４と、下枠５と、左右一対の竪枠６，７とで方形の窓枠１を形成し、上下枠４，５の上下部に上下一対の上下カバー４０，４０をそれぞれ取付け、同じく上下枠４，５の左右側部に左右一対の竪カバー４１，４１をそれぞれ取付け、上下カバー４０，４０の左右端部と左右竪カバー４１，４１の上下端部との間にコーナージョイント４４を介在させて窓枠の化粧を施している窓において、各上下カバー４０，４０が水平化粧板４０aと、水平化粧板４０aの正面側に短冊状の傾斜片４２を介して直角方向に向けて連結した正面化粧板４０ｂとからなり、各左右竪カバー４１，４１が上記上下カバー４０，４０の左右端部に対向して垂直方向に起立する側面化粧板４１aと、この側面化粧板４１aの正面側端部に短冊状の連結片４３を介して直角方向に向けて連結した垂直化粧板４１ｂとからなり、コーナージョイント４４はコーナー傾斜片４５と、コーナー傾斜片４５から上記水平化粧板４０aの内側方向に延びる横スペーサ４４aと、同じくコーナー傾斜片４５から上記側面化粧板４１aの内側方向に延びる縦スペーサ４４ｂと、コーナー化粧片４５の正面側端部に傾斜して連結した三角片４６とからなり、上記垂直化粧板４１ｂを正面化粧板４９ｂの正面に重ね合わせ、更に上記三角片４６の外面を上記傾斜片４２の外面と連結片４３の外面とコーナー傾斜片４６の外面とに位置合せしながらコーナージョイント４４の横スペーサ４４aを水平化粧板４０aの内側に設けたソケットｇに差込み、同じく縦スペーサ４４ｂを側面化粧板４１aの内側に差込んだことを特徴とする窓の化粧構造
【発明の詳細な説明】
【０００１】
【発明の属する技術分野】
本発明はビルディング，マンション，一般家屋における壁に設けられた窓に関し、特にこの窓を構成する上下枠と左右の竪枠の外側に化粧を施す窓の化粧構造に関する。
【０００２】
【従来の技術】
一般に、ビルディング，マンション，一般家屋の壁には窓枠が固定され、一例としてこの窓枠に窓たる障子が開閉自在に取付けられ、又この窓枠の室内側たる背部には虫の侵入を防止する網戸が回転自在に取付けられる。
【０００３】
窓枠は上下枠と左右の堅枠とで長方体状に形成され、これらの上下枠と左右の竪枠の外側には上下カバーと左右の竪カバーを着脱自在に取り付けて化粧を施している。
【０００４】
上カバーと下カバーとはそれぞれ窓枠を構成する上枠と下枠とにそれぞれ水平方向に向けて着脱自在に取り付けられ、同じく左右の各竪カバーは左右の竪枠のそれぞれ垂直方向に向けて着脱自在に取り付けられ、上下カバーの両端部に対して竪カバーの上下端部を重ね、又はつき合せて結合させている。
【０００５】
【発明が解決しようとする課題】
上記の上下カバーと左右の竪カバーとによる窓の化粧構造では機能的に特に欠陥があるわけではないが、上下カバーと堅カバーの端部が直接露出すると切断面のエッジで怪我をする恐れがある。又上下カバーと竪カバーとの端部の結合部に継目があるとこの部分が外観を損なう不具合がある。又各カバーのコーナ部の外観を向上させるために面取りを施して傾斜面としているが、各カバーと各と竪カバーの端部が集合するコーナ部に於ては上下カバー側の傾斜面と竪カバー側の傾斜面とが同一線上に沿って連続して位置合せできない不具合があり、コーナ部の外観が損なわれる。
【０００６】
そこで、本発明の目的は上下カバー側の傾斜面と竪カバー側の傾斜面とが同一線に連続して位置合せでき、継目の無い窓の化粧構造を提供することである。
【０００７】
【課題を解決するための手段】
上記の目的を達成するため、本発明の手段は、各上下カバーが水平化粧板と、水平化粧板の正面側に短冊状の傾斜片を介して直角方向に向けて連結した正面化粧板とからなり、各左右竪カバーが上記上下カバーの左右端部に対向して垂直方向に起立する側面化粧板と、この側面化粧板の正面側端部に短冊状の連結片を介して直角方向に向けて連結した垂直化粧板とからなり、コーナージョイントはコーナー傾斜片と、コーナー傾斜片から上記水平化粧板の内側方向に延びる横スペーサ、同じくコーナー傾斜片から上記側面化粧板の内側方向に延びる縦スペーサと、コーナー化粧片の正面側端部に傾斜して連結した三角片とからなり、上記垂直化粧板を正面化粧板に重ね合わせ、更に上記三角片の外面を上記傾斜片の外面と連結片の外面とコーナー傾斜片の外面とに位置合せしながらコーナージョイントの横スペーサを水平化粧板の内側に設けたソケットに差込み、同じく縦スペーサを側面化粧板の内側に差込んだことを特徴とするものである。
【０００９】
【発明の実施の形態】
以下、本発明の実施の形態を図にもとづいて説明する。本発明に係る窓の化粧構造は図７乃至図９に示されているが、この化粧構造を備えた窓について図１乃至図６にもとづいて説明する。
【００１０】
本発明に係る窓Ａは、ビルディング，マンション，一般家屋等の構築物の壁に対して設置されるものであり、これは壁に対してシーラント４０と断熱材５０を介して取付けられた窓枠１と、窓枠１の中間に回転自在に取付けられた障子２と、窓枠１の背部たる室内側に回転自在に取付けられた網戸３とで構成されている。断熱材５０は無くとも良く、又障子２は図示の回転窓のみならず、他の公知の外開き窓，すべり出し窓，引違い窓であってもよい。
【００１１】
窓枠１は上枠４と下枠５と左右の堅枠６，７とで長方体状に形成され、上枠４の下面と下枠の上面にはそれぞれ化粧と断熱を兼ねた枠体８，９がそれぞれ着脱自在に取付けられている。
【００１２】
更に左右の堅枠６，７の内側には堅枠と化粧とを兼ねた化粧枠１０，１１が着脱自在に嵌合し、各化粧枠１０，１１の上下端は上記上下の枠体８，９の上面に重ねられている。堅枠６，７を化粧枠１０，１１とは組付後ビス１２，１２を介して躯体側に結合される。
【００１３】
障子２は上下框１３，１４と左右の堅框１５，１６とこれらの框で保持されたガラス板からなる面材１７とからなり、上框１３は窓枠１の上枠４にリンク機構２０を介して回転自在に結合され、同じく下框１４はリンク機構１９を介して窓枠１の下枠５に回転自在に結合されている。
【００１４】
左側の堅框１５の側面には面材１７に対向してハンドル１８が取付けられており、このハンドル１８の押し込み又は引張り操作により障子２自体がリンク機構１９，２０を介して回転しながら開閉される。ハンドル１８はロック機構と連動しており、障子２を閉じた時この障子２の左側をハンドル１８で窓枠１の左堅枠６側にロックするようにしている。
【００１５】
網戸３は障子２を開いた時虫が室内に飛び込むのを防止すると共に空気の還流を許容するものであり、これは上下框２１，２２と、左右の堅框２３，２４と、これらの框で保持された網２５と、右側の堅框２４の上下端に起立するピン２６，２７とからなり、ピン２６，２７を介して上下の枠体８，９に回転自在に取付けられている。
【００１６】
窓枠１を構成する上下枠４，５に結合される上下の枠体８，９は同一の構造に形成されて上下対称に配置され、上枠４に対して上枠体８が、下枠５に対して下枠体９がそれぞれ引掛片４ａ，５ａを介して着脱自在に結合され、ボルトを使用せずに両者が連結されていることにより両者の着脱がスムースに行なえる。上下枠４，５はアルミニューム材で一体成形され、上下枠体８，９は合成樹脂材で成形されるのが好ましいが、両者同じ材質のものを使用してもよい。
【００１７】
上下の枠体８，９は引掛片４ａ，５ａに着脱自在に結合する支持枠８ａ，９ａとこの支持枠８ａ，９ａに一体形成された溝フレーム８ｂ，９ｂとからなり、支持枠８ａと溝フレーム８ｂ、同じく下方の支持枠９ａと溝フレーム９ｂとは階段状に段違いに配置され、各溝フレーム８ｂ，９ｂには長手方向に沿って結露水回収用の溝３０，３０が形成されている。
【００１８】
上記上下の枠体８，９は窓枠１の上下枠４，５にそれぞれ重ねて結合されると共に各上下の枠体８，９の左右端は窓枠１の堅枠６，７の内壁に目板３２を介して対向している。
【００１９】
上枠体８の溝３０内には横方向から目板３１を差し込み、又は下方から直接嵌合して溝３０の化粧を施している。同じく下枠体９の溝フレーム９ｂにおける溝３０内には右方向から網戸取付用の支持板３３がスライド自在に挿入され、同じく左方向から目板３４がスライド自在に挿入されて化粧を施している。目板３４は上方から直接溝３０内に嵌合してもよい。
【００２０】
支持板３３に平行に短手方向に向けて二つのピン孔３５，３５が形成され、更に支持板３３の端部に設けたブラケット３６の下部にはガイド板３７がねじ３８を介して結合され、支持板３３はこのガイド板３７を介して溝３０内を移動するようになっている。溝３０は両サイドにキー溝が一対形成され、目板３４は下部に設けたフック３４ａ，３４ａをこのキー溝に嵌合してスライドさせるようになっている。
【００２１】
上枠体８に設けたピン孔２８と上記支持板３３に設けた一方のピン孔３５とに網戸３の上下のピン２６，２７を回転自在に挿入させている。支持板３３にピン孔３５，３５が二つ設けられているのは網戸３の取付位置が左右逆になる場合、これに応じて支持板３３を溝３０の左又右方向に挿入して選択的に使用できるようにしたものである。
【００２２】
上記の支持板３３は窓枠１や網戸３の加工誤差，組付誤差があった場合に、上下のピン孔が同一直線上に一致するように左右に若干移動して上下のピン孔２８，３５の位置を補正するものである。尚、支持板３３は上枠体８の溝３０内に挿入し、下枠体９はピン孔２９を利用してもよく、上下両方の溝３０，３０内に支持板３３を挿入してもよい。
【００２３】
上下の枠体８，９はすでに述べたように化粧と、断熱と、結露を防止するものであるが、上枠体９には溝３０を設けず、ピン孔２８のみを設けたものでも使用可能である。
【００２４】
下枠体９の溝３０は窓枠１の堅枠７の表面に結露した水が下方に流れた時これを回収するものであり、この溝３０の任意の位置に孔３９を形成し、この孔３９を介して窓枠１の外側に排水する。
【００２５】
窓枠１の堅枠６，７の内側に縦方向に配置した化粧枠１０，１１は支持枠１０ａ，１１ａと端部の化粧板１０ｂ，１１ｂとを備えている。支持枠１０ａ，１１ａの上下端は階段上に段部Ｐ．Ｑが形成され、これらの段部Ｐ，Ｑはそれぞれ上下枠８，９の支持枠８ａ，９ａと溝フレーム８ｂ，９ｂの上面に当接し、化粧板１０ｂ，１１ｂの上下端は上記段部Ｐ，Ｑより更に上下に延びてそれぞれ上下枠８，９の端部正面に当接し、これにより上下枠４，５と上下枠体８，９の端部の継目が外部から見えないように化粧が施される。
【００２６】
次に本発明の窓の化粧構造について述べる。
【００２７】
この窓の化粧構造は図７乃至図９に示すように、  上枠４と、下枠５と、左右一対の竪枠６，７とで方形の窓枠１を形成し、上下枠４，５の上下部に上下一対の上下カバー４０，４０をそれぞれ取付け、同じく上下枠４，５の左右側部に左右一対の竪カバー４１，４１をそれぞれ取付け、上下カバー４０，４０の左右端部と左右竪カバー４１，４１の上下端部との間にコーナージョイント４４を介在させている。
【００２８】
各上下カバー４０，４０は水平化粧板４０aと、水平化粧板４０aの正面側に短冊状の傾斜片４２を介して窓の中心方向である直角方向に向けて連結した正面化粧板４０ｂとからなっている。また、各左右竪カバー４１，４１は上記上下カバー４０，４０の左右端部に対向して垂直方向に起立する側面化粧板４１aと、この側面化粧板４１aの正面側端部に短冊状の連結片４３を介して窓の中心方向である直角方向に向けて連結した垂直化粧板４１ｂとからなっている。
コーナージョイント４４はコーナー傾斜片４５と、コーナー傾斜片４５から上記水平化粧板４０aの内側方向に延びる横スペーサ４６と、同じくコーナー傾斜片４５から上記側面化粧板４１aの内側方向に延びる縦スペーサ４４ｂと、コーナー化粧片４５の正面側端部に傾斜して連結した三角片４６とからなっている。
そして、上記垂直化粧板４１ｂを正面化粧板４９ｂの正面に重ね合わせ、更に上記三角片４６の外面を上記傾斜片４２の外面と連結片４３の外面とコーナー傾斜片４６の外面とに位置合せしながらコーナージョイント４４の横スペーサ４４aを水平化粧板４０aの内側に設けたソケットｇに差込み、同じく縦スペーサ４４ｂを側面化粧板４１aの内側に差込むものである。
【００２９】
堅カバー４１は窓枠１における上下枠４，５の正面側端部に縦方向に沿って張出して設けたブラケット１Ａの引掛片ｈ，ｉに引掛片たる取付部材ａ，ｂを介して着脱自在に結合されている。上下カバー４０，４０は正面化粧板４０ｂの内側に形成した引掛片ｃ，ｄを介して上下枠４，５の正面側の外端引掛片ｅ，ｆに着脱自在に嵌合されている。
【００３０】
コーナージョイント４４は上下カバー４０、４０の左右両端部と堅カバー４１，４１の上下端部との間に介装されるものであり、このコーナージョイント４４はコーナー傾斜片４５と、このコーナー傾斜片４５から垂直方向に向けて設けた縦スペーサ４４ｂと、同じく横方向に向けて設けた横スペーサ４４ａと、コーナー化粧片４５の正面側端部に傾斜して連結した三角片４６とからなっている。
【００３１】
図９に於て、横スペーサ４４ａは上カバー４０の内側に設けた溝状のソケットｇに着脱自在に差し込まれる。但し、下カバー４０に対しては縦スペーサ４４ｂがソケットｇに差し込まれる。即ち、コーナージョイント４４は取付位置に応じて縦スペーサ４４ｂと横スペーサ４４ａが選択的に使用される。コーナージョイント４４をあらかじめ上下カバー４０に装着し、更に堅カバー４１の垂直化粧片４１ｂを上下カバー４０の正面化粧板４０ｂの正面にかぶせた時、上下カバー４０の傾斜片４２の外面と、堅カバー４１の連結片４３の外面と、コーナージョイント４６のコーナー傾斜片４６の外面と三角片４６の外面とが位置合せされ、上下カバー４０と堅カバー４１とによる化粧上の外観をより美しくできる。
【００３２】
【発明の効果】
本発明によれば、次の効果がある。
【００３３】
本発明のよれば、各上下カバー４，５の左右端部を竪カバー４１，４１の上下端部内側に当接させ、更に上下カバー４，５の左右端部と堅カバー４１，４１の上下端部間にコーナージョイント４６を介在させているから上下カバー４，５と竪カバー４１，４１との間に継目が無く、しかも上下カバーの傾斜面４２の外面と竪カバー４１の連結片４３の外面と、コーナージョイント４４のコーナー傾斜片４６の外面と、三角片４６の外面とが位置合せされているから、外観の美しい化粧が窓に施こされる。
【図面の簡単な説明】
【図１】本発明に係る窓の斜視図である。
【図２】図１の分解斜視図である。
【図３】図１のＹ−Ｙ線縦断側面図である。
【図４】図１のＸ−Ｘ線横断平面図である。
【図５】下枠と下枠体の一部切欠き拡大斜視図である。
【図６】支持板と目板の取付状態を示す分解斜視図である。
【図７】窓枠に取付けたカバーの一部拡大斜視図である。
【図８】図７の分解斜視図である。
【図９】窓枠に対するカバーの取付状態を示す斜視図である。
【符号の説明】
１  窓枠
２  障子
４，５  上下枠
６，７  堅枠
８，９  枠体
４０  上カバー，下カバー
４０ａ  水平片
４０ｂ，４１ａ，４１ｂ  垂直片
４１  竪カバー
４２，４３，４５  傾斜片
４４  コーナージョイント
４４ａ  横スペーサ
４４ｂ  縦スペーサ
ｇ  ソケット
【図１】
0003817051.tif 000002
【図２】
0003817051.tif 000003
【図３】
0003817051.tif 000004
【図４】
0003817051.tif 000005
【図５】
0003817051.tif 000006
【図６】
0003817051.tif 000007
【図７】
0003817051.tif 000008
【図８】
0003817051.tif 000009
【図９】
0003817051.tif 000010